(57)【要約】【課題】２台の送気装置を用い、短時間に目標の圧力設定値にすることが可能な送気システムを提供する。【解決手段】２つの送気装置２Ａ，２Ｂにおける吸引器の接続が確認された送気装置２Ａは、マスタ化要求により基準の送気装置に設定され、基準の送気装置の制御部は他方の送気装置の圧力設定値を基準の送気装置に合わせる制御を行った後、両送気装置２Ａ，２Ｂが並行して送気動作を行ことにより、短時間に目標の圧力設定値に設定する。【選択図】図２Ａ
2014094238.tif 000002
【特許請求の範囲】
【請求項１】
別体に構成された第１及び第２の送気装置と、
前記第１及び第２の送気装置にそれぞれ設けられた、所定の気体を供給するための供給源、前記供給源から供給される所定の気体を患者の腹腔内へ送気する管路、前記供給源から前記管路を介して前記患者の腹腔内に送気される前記所定の気体の圧力を調整する圧力調整部、前記腹腔内の圧力の目標設定値としての圧力設定値を入力するための圧力設定操作部、及び前記腹腔内の圧力を測定する圧力測定部と、
前記第１及び第２の送気装置間で通信を行う通信部と、
前記第１及び第２の送気装置における一方を基準の送気装置に設定する設定部と、
前記設定部により設定された前記基準の送気装置により前記第１及び第２の送気装置における他方の送気装置による前記所定の気体の送気動作を制御すると共に、前記基準の送気装置は、前記他方の送気装置における圧力設定値を前記基準の送気装置における圧力設定値に合わせる制御を行う制御部と、
を備えることを特徴とする送気システム。
【請求項２】
前記制御部は、前記腹腔内の圧力測定値が前記圧力設定値より低い所定圧力値を超えた場合に、前記基準の送気装置及び前記他方の装置装置における１つの送気装置のみで送気動作を行うように制御することを特徴とする請求項１に記載の送気システム。
【請求項３】
前記設定部は、前記第１及び第２の送気装置にそれぞれ設けられ、さらに前記基準の送気装置を選択する操作画面を備えた第１の設定部を有し、前記操作画面で選択した一方の送気装置を前記基準の送気装置に設定することを特徴とする請求項１に記載の送気システム。
【請求項４】
前記設定部は、前記第１及び第２の送気装置が吸引器に接続されているか否かの検知動作を実施し、検知結果から前記吸引器が接続されている一方の送気装置を前記基準の送気装置に設定することを特徴とする請求項１に記載の送気システム。
【請求項５】
前記第１及び第２の送気装置は、それぞれ表示を行う表示器を有し、前記制御部は、前記他方の送気装置の前記表示器の表示を消灯するように制御することを特徴とする請求項１に記載の送気システム。
【請求項６】
前記第１及び第２の送気装置は、それぞれ前記管路を介して前記腹腔内に送気する送気流量を測定する流量測定部を備え、前記制御部は、前記他方の送気装置による送気流量を、前記基準の送気装置による送気流量に合算し、合算した送気流量を前記基準の送気装置に設けた表示器で表示するように制御することを特徴とする請求項１に記載の送気システム。
【請求項７】
前記基準の送気装置及び前記他方の装置装置は、それぞれ前記管路を構成する１本のチューブを用いて前記腹腔内に送気する送気動作と、前記送気動作の停止期間に前記腹腔内の圧力測定を行う圧力測定動作とを間欠的に行うことを特徴とする請求項１に記載の送気システム。
【請求項８】
前記基準の送気装置は、前記送気動作を行わずに前記腹腔の圧力測定のみを行い、前記他方の送気装置に対して測定した圧力測定値を前記通信部により通信し、前記他方の送気装置は前記腹腔の圧力設定は行わずに前記送気動作を連続的に行うことを特徴とする請求項１に記載の送気システム。
【請求項９】
前記基準の送気装置は、前記腹腔内の圧力測定値を前記他方の送気装置に送信し、前記他方の送気装置は前記腹腔内の圧力測定を行わずに前記送気動作を連続的に行うことを特徴とする請求項１に記載の送気システム。
【請求項１０】
前記他方の送気装置で発生したエラーを前記基準の送気装置に設けた表示器でエラー表示を行うことを特徴とする請求項１に記載の送気システム。
【請求項１１】
前記制御部は、前記腹腔内の圧力測定値が前記圧力設定値に近く、該圧力設定値より低い所定圧力値を超えた場合に、前記基準の送気装置及び前記他方の装置装置における１つの送気装置のみが連続的に前記送気動作を行う送気モードに設定し、前記基準の送気装置及び前記他方の装置装置における残りの送気装置が連続に近い短い周期で前記腹腔内の圧力測定を行う動作モードに設定するように制御することを特徴とする請求項１に記載の送気システム。
【請求項１２】
更に、前記基準の送気装置及び前記他方の送気装置における２つの送気装置が並行して間欠的に前記所定の気体の供給動作を行う送気動作を行う期間を有する第１の動作モードと、前記基準の送気装置及び前記他方の送気装置における１つの送気装置が連続的に前記所定の気体の供給動作を行い、残りの１つの送気装置が送気と圧力測定の動作を間欠的に行う第２の動作モードとを選択する動作モード選択部を有することを特徴とする請求項１に記載の送気システム。
【請求項１３】
前記制御部は、前記腹腔内の圧力測定値が前記圧力設定値に近く、該圧力設定値より低い所定圧力値未満の場合には、前記基準の送気装置及び前記他方の装置装置における１つの送気装置が連続的に前記送気動作を行い、残りの１つの送気装置が送気と圧力測定の動作を間欠的に行い、
前記腹腔内の圧力測定値が前記所定圧力値に達した場合には、前記１つの送気装置が継続して連続的に前記送気動作を行い、残りの１つの送気装置が送気動作を停止し、圧力測定の動作を殆ど連続的に行うよう動作モードに設定するように制御することを特徴とする請求項１に記載の送気システム。
【発明の詳細な説明】
【技術分野】
【０００１】
本発明は患者の腹腔内に送気する送気システムに関する。
【背景技術】
【０００２】
内視鏡は医療分野などにおいて広く用いられるようになっている。また、患者の腹部内の患部等を処置するために内視鏡を挿入するための小さな孔を形成し、内視鏡の観察下で外科手術が行われる場合がある。  
このような場合には、腹腔内に送気して、腹腔内を空気で膨らませ、患部等を観察及び処置し易い状態に設定するために送気装置又は送気システムが用いられる。  
例えば第１の従来例としての特開２００６−１４９６１号公報には、炭酸ガスと空気とを切り替えて管腔内に供給可能にした送気システムが開示されている。  
また、第２の従来例としての米国特許６，２９９，５９２号は、２つの送気装置を一体化したような送気システムを開示している。  
肥満した患者のように腹腔の容量が大きい患者の場合に対しては、１台の送気装置による送気により、腹腔内の圧力を目標とする圧力設定値まで送気するために長い時間を要する。
【先行技術文献】
【特許文献】
【０００３】
【特許文献１】特開２００６−１４９６１号公報
【特許文献２】米国特許６，２９９，５９２号
【発明の概要】
【発明が解決しようとする課題】
【０００４】
第１の従来例は、炭酸ガスと空気とを切り替えて管腔内に供給するもので、腹腔の容量が大きい患者の場合には、腹腔内を目標の圧力まで送気するためにやはり長い時間を要する欠点がある。また、第２の従来例は、２つの送気装置を一体化したような構成の送気システムであるため、腹腔の容量が大きい患者の場合に対して長い時間を要する欠点を解消することができるが、高価になってしまう欠点がある。  
このため、既存の１台の送気装置を２台用いて送気システムを構成することにより、低コスト化できるが、従来例においては、２台の送気装置がそれぞれ独立して動作するため、腹腔内の圧力を目標の圧力設定値に設定しようとした場合、２台の送気装置の圧力設定値が異なって設定されている場合には同じ圧力設定値に設定する作業が必要になると共に、腹腔内の圧力が目標の圧力設定値の近傍に達している状態から、圧力設定値を超えて加圧状態になる可能性がある。  
このように圧力設定値を超えた加圧状態の場合には吸気又は吸引して圧力設定値に戻すことが必要になり、時間が長引く欠点がある。  
本発明は上述した点に鑑みてなされたもので、２台の送気装置を用い、短時間に目標の圧力設定値にすることが可能な送気システムを提供することを目的とする。
【課題を解決するための手段】
【０００５】
本発明の一態様に係る送気システムは、別体に構成された第１及び第２の送気装置と、前記第１及び第２の送気装置にそれぞれ設けられた、所定の気体を供給するための供給源、前記供給源から供給される所定の気体を患者の腹腔内へ送気する管路、前記供給源から前記管路を介して前記患者の腹腔内に送気される前記所定の気体の圧力を調整する圧力調整部、前記腹腔内の圧力の目標圧力値としての圧力設定値を入力するための圧力設定操作部、及び前記腹腔内の圧力を測定する圧力測定部と、前記第１及び第２の送気装置間で通信を行う通信部と、前記第１及び第２の送気装置における一方を基準の送気装置に設定する設定部と、前記設定部により設定された前記基準の送気装置により前記第１及び第２の送気装置における他方の送気装置による送気動作を制御すると共に、前記基準の送気装置は、前記他方の送気装置における圧力設定値を前記基準の送気装置における圧力設定値に合わせる制御を行う制御部と、を備える。
【発明の効果】
【０００６】
本発明によれば、２台の送気装置を用い、短時間に目標の圧力設定値にすることが可能となる。
【図面の簡単な説明】
【０００７】
【図１Ａ】図１Ａは本発明の第１の実施形態の送気システムの構成を示す図。
【図１Ｂ】図１Ｂは図１Ａの構成において吸引器を用いない場合の構成を示す図。
【図２Ａ】図２Ａは図１Ａの構成の場合における動作のシーケンスを示す図。
【図２Ｂ】図２Ｂは図１Ｂの構成の場合における動作のシーケンスを示す図。
【図２Ｃ】図２Ｃはエラー表示の内容を示す図。
【図２Ｄ】図２Ｄは選択画面の内容を示す図。
【図３Ａ】図３Ａは第１の実施形態の送気システムにおける処理内容を示すフローチャート。
【図３Ｂ】図３Ｂは図３Ａにおける基準の送気装置の処理内容を示すフローチャート。
【図３Ｃ】図３Ｃは図３Ａにおける非基準の送気装置の処理内容を示すフローチャート。
【図４】図４は本発明の第２の実施形態の送気システムにおけるタッチパネルの構成を示す図。
【図５】図５は第２の実施形態の送気システムの動作のシーケンスを示す図。
【図６】図６は第２の実施形態の変形例の送気システムの動作のシーケンスを示す図。
【図７】図７は第２の実施形態の変形例の送気動作の主要部を示すフローチャート。
【発明を実施するための形態】
【０００８】
以下、図面を参照して本発明の実施形態を説明する。  
（第１の実施形態）
図１Ａ又は図１Ｂに示すように本発明の第１の実施形態の送気システム１は、患者１１の腹腔１１ａ内に所定の気体を供給（又は送気）する別体の第１及び第２の送気装置としての送気装置２Ａ及び送気装置２Ｂと、両送気装置２Ａ，２Ｂ間で通信を行う通信ケーブル３と、を有する。  
各送気装置２Ｉ（Ｉ＝Ａ又はＢ）は、それぞれ別体となる筐体４Ｉ内に配置され、所定の気体としての例えば二酸化炭素（ＣＯ２と略記）の気体（ガス）を収納した供給源としてのガスボンベ５Ｉが管路６Ｉを介して筐体４Ｉ内の圧力調整手段（又は圧力調整部）を構成する減圧器７Ｉに接続される。  
上記管路６Ｉは、一方の端部がガスボンベ５Ｉに接続され、途中に減圧器７Ｉ、電磁弁８Ｉが配置された他方の端部が筐体４Ｉの外部に露出する送気口金９Ｉとなる。この送気口金９Ｉは、腹腔１１ａにＣＯ２を供給する管路を構成する送気チューブ１０Ｉの一端に接続され、送気チューブ１０Ｉの他端は腹腔１１ａに至る。
【０００９】
なお、ガスボンベ５Ｉから腹腔１１ａにＣＯ２を送気する管路は、管路６Ｉと送気チューブ１０Ｉとにより構成される。  
減圧器７Ｉは、ガスボンベ５Ｉから管路６Ｉを経てその下流側の送気口金９Ｉを経て患者１１の腹腔１１ａ側に送気されるＣＯ２の圧力を減圧することにより調整する。また、減圧器７Ｉの下流側に配置された電磁弁８Ｉもその弁の開閉（開時間と閉時間の割合など）により、管路６Ｉ及び送気チューブ１０Ｉを経て患者１１の腹腔１１ａ側に送気されるＣＯ２の圧力を調整する。このため、減圧器７Ｉと電磁弁８Ｉが圧力調整手段又は圧力調整部を形成する。  
また、電磁弁８Ｉの下流側の管路６Ｉは、圧力測定手段（又は圧力測定部）を構成する圧力センサ１２Ｉと、管路６Ｉを流れる送気流量測定手段（又は送気流量測定部）を構成する流量センサ１３Ｉと連通している。圧力センサ１２Ｉは、管路６Ｉ内のＣＯ２の圧力を測定し、また流量センサ１３Ｉは管路６Ｉを流れるＣＯ２の送気流量を測定する。
【００１０】
また、各送気装置２Ｉは、タッチ操作で各種の設定操作を行うことができる設定操作手段及び表示を行う表示手段の機能を有するタッチパネル１４Ｉと、吸引器（吸気器）１５Ｉの吸引チューブ１６Ｉを接続するためのピンチ弁１７Ｉとを有する。  
なお、図１Ａに示す送気システム１おいては、両送気装置２Ａ、２Ｂにおける一方のみの送気装置としての送気装置２Ａのピンチ弁１７Ａが吸引器１５Ｉに一端が接続された吸引チューブ１６Ａの途中をピンチ可能な状態で接続されている。  
これに対して図１Ｂに示す送気システム１おいては、両送気装置２Ａ、２Ｂともピンチ弁１７Ｉに吸引器１５Ｉに一端が接続された吸引チューブ１６Ｉが接続されていない。図１Ａと図１Ｂとの違いは、ピンチ弁１７Ｉに吸引器１５Ｉに接続された吸引チューブ１６Ｉが接続されているか、接続されていないかの差異のみであり、その他の構成は同じである。
【００１１】
また、各送気装置２Ｉは、筐体４Ｉ内に配置した電気制御基板２０Ｉを有し、該電気制御基板２０Ｉの一部により、各種の制御を行う制御部２１Ｉが形成される。制御部２１Ｉ又は電気制御基板２０Ｉ（以下、制御部２１Ｉで代表する）は、減圧器７Ｉ、電磁弁８Ｉ，圧力センサ１２Ｉ、流量センサ１３Ｉ、タッチパネル１４Ｉ、ピンチ弁１７Ｉと電気的に接続されて、各部の制御を行う。  
吸引器１５Ａは、他端が接続された腹腔１１ａから可撓性を有する吸引チューブ１６Ａを介して腹腔１１ａ内のＣＯ２を吸引するが、ピンチ弁１７Ａにより吸引チューブ１６Ａが押し潰された状態になると、吸引する動作が停止する。  
通常、ピンチ弁１７Ｉは、制御部２１Ａにより吸引チューブ１６Ａを押し潰す状態に設定され、この設定状態では吸引動作を行わない。腹腔１１ａの圧力を低下させる必要がある場合には、制御部２１Ａにより吸引チューブ１６Ａを押し潰す状態から押し潰さない開放状態に設定され、この開放状態に設定されると吸引器１５Ａは腹腔１１ａ内のＣＯ２を吸引する。
【００１２】
なお、本実施形態においては、各送気装置２Ｉは、それぞれ管路を構成する１本の送気チューブ１０Ｉを用いて腹腔１１ａ内にＣＯ２の送気動作と、送気動作の停止期間に前記圧力センサ１２Ｉを用いて腹腔１１ａ内の圧力測定を行う圧力測定動作とを間欠的に行う。  
圧力センサ１２Ｉは、それぞれ筐体４Ｉ内の管路６Ｉの途中に連通し、管路６Ｉ内の圧力を測定する。この場合、管路６Ｉによる送気を停止（具体的には、制御部２１Ｉが電磁弁８Ｉを閉に）することにより、管路６Ｉ内の圧力と、腹腔１１ａ内の圧力とが同じ値になる。このように、送気を停止した停止期間に、腹腔１１ａ内の圧力測定を行い、圧力測定後に再び送気を行うように送気と圧力測定を交互に間欠的に行う。なお、後述する第２の実施形態においては、圧力測定を行わないで、送気を連続的に行う送気専用の動作モードや、送気を停止して圧力測定を殆ど連続的に行う（換言すると送気停止を継続し、圧力測定を専用して行う）ことが可能な動作モードの場合を説明する。
【００１３】
制御部２１Ｉは、通信を行う通信ポート２２Ｉに通信ケーブル３が接続され、通信ケーブル３を介して接続された制御部２１Ａ，２１Ｂは相互に信号、データ等を送受信して通信を行うことが可能となる。  
通信ケーブル３と通信ポート２２Ｉにより、両送気装置２Ａ、２Ｂ間で通信を行う通信部又は通信手段を形成する。  
また、タッチパネル１４Ｉは、腹腔１１ａ内の圧力の目標設定値としての圧力設定値を入力する操作のための圧力設定操作部２３Ｉと、両送気装置２Ａ，２Ｂにおける一方を基準又はマスタの送気装置（つまり基準の送気装置又はマスタの送気装置）に設定する設定部２４Ｉと、圧力設定値、圧力測定値、選択画面、エラー表示などを表示する表示器２５Ｉの機能を持つ。なお、図２Ｂ、図３Ａ等の図面中においては、基準の送気装置を基準装置、基準の送気装置でない他方の送気装置を非基準装置と記す。また、圧力設定操作部２３Ｉ、設定部２４Ｉ及び表示器２５Ｉをタッチパネル１４Ｉを用いて構成した場合に限定されるものでなく、圧力設定操作部２３Ｉ及び設定部２４Ｉを備えた操作パネル等の操作手段と別体に表示器２５Ｉを設けるようにしても良い。
【００１４】
上記圧力設定操作部２３Ｉは、圧力設定値を入力する設定操作の他に、圧力設定値よりも設定値だけ低い所定圧力値を設定する所定圧力値設定部２３ｃと、設定値を設定する設定値設定部２３ｄの機能を持つ。なお、所定圧力値設定部２３ｃにより、所定圧力値を設定した場合には、設定値は、圧力設定値−所定圧力値により決定される。逆に、設定値設定部２３ｄにより、設定値を設定した場合には、所定圧力値は、圧力設定値−設定値により決定される。このため、所定圧力値設定部２３ｃと設定値設定部２３ｄとの一方を備える構成にしても良い。また、タッチパネル１４Ｉにおける圧力設定操作部２３Ｉの内部又は外部に送気開始／停止の指示操作を行う送気開始／停止スイッチ等を有する操作部（又は操作手段）を設けても良い。  
設定された圧力設定値、所定圧力値等のデータは、以下に説明する記憶部２７Ｉに記憶される。
【００１５】
電気制御基板２０Ｉは、吸引器の接続検知の際に、圧力センサ１２Ｉを用いて測定した圧力が下がったか否かの判定を行う比較判定部２６Ｉと、各送気装置２Ｉにおいて設定された圧力設定値等のデータを記憶すると共に、基準の送気装置から送信された圧力設定値を記憶（し、基準でない送気装置の圧力設定値を更新）する記憶部２７Ｉと、所定時間の計測を行うタイマ２８Ｉとを有する。比較判定部２６Ｉは、比較回路を用いて構成され、記憶部２７Ｉは、フラッシュメモリ等の半導体メモリ等を用いて構成される。  
上記比較判定部２６Ｉは、上記の判定の他に、送気動作が開始した場合には、圧力測定手段を構成する圧力センサ１２Ｉにより腹腔１１ａ内の圧力測定値が、所定圧力値以上か否か（又は所定圧力値を超えたか否か）の比較判定を行う。また、腹腔１１ａ内の圧力測定値が所定圧力値を超えた場合には、腹腔１１ａ内の圧力測定値が、圧力設定値に達したか否かの比較判定を行う。
【００１６】
本実施形態においては、上記設定部２４Ｉは、後述するように吸引器が接続された送気装置であるか否かの検知動作により、吸引器が接続された送気装置を基準の送気装置に設定する第１の設定部２４ｃと、表示器に表示された選択画面により基準の送気装置に選択して設定する第２の設定部２４ｄ等の機能を備える。  
また、制御部２１Ｉは、設定部２４Ｉにより基準の送気装置が設定された場合、基準の送気装置は、他方の送気装置によるＣＯ２の送気動作を制御すると共に、基準の送気装置は、他方の送気装置における圧力設定値を基準の送気装置における圧力設定値に合わせる制御を行う。このように基準の送気装置における制御部２１Ｉは、他方の送気装置における圧力設定値を基準の送気装置における圧力設定値に合わせる圧力設定値の同期（又は同一化）の制御を行う圧力設定制御部２１ｃの機能を有する。
【００１７】
また、基準の送気装置における制御部２１Ｉは、非基準の送気装置の表示器の表示を消灯する表示制御部２１ｄの機能を有する。また、基準の送気装置における制御部２１Ｉは、圧力測定値が所定圧力値に達した後には、１つの送気装置のみで送気を行うように制御する送気制御部２１ｅの機能を有する。  
また、制御部２１Ｉは、電気的に接続された各部の制御を行うと共に、エラー発生を監視する機能を持つ。例えば減圧器７Ｉにより調整された送気の際の圧力値が、許容範囲内で経時的に保たれているか否かを監視する。なお、圧力設定制御部２１ｃ、表示制御部２１ｄ及び送気制御部２１ｅを制御部２１Ｉの外部に設けるようにしても良いし、それぞれを別体に構成しても良い。  
減圧器７Ｉには図示しない圧力センサが設けてあり、この圧力センサの検出信号により、制御部２１Ｉは比較判定部２６Ｉなどを用いて、ガスボンベ５ＩのＣＯ２が不足しない正常な状態であるか、許容範囲よりも低下したＣＯ２が不足した状態であるかを識別する。そして、ＣＯ２が不足した状態である場合には、エラーとしてユーザに告知するように制御する。
【００１８】
この様な構成の送気システム１は、別体に構成された第１及び第２の送気装置としての送気装置２Ｉ（Ｉ＝Ａ，Ｂ）と、前記第１及び第２の送気装置にそれぞれ設けられた、所定の気体としてのＣＯ２を供給するための供給源としてのガスボンベ５Ｉ、前記供給源から供給される所定の気体を患者１１の腹腔１１ａ内へ送気する管路を構成する６Ｉ及び送気チューブ１０Ｉ、前記供給源から前記管路を介して前記患者１１の腹腔１１ａ内に送気される前記所定の気体の圧力を調整する圧力調整部としての減圧器７Ｉ及び電磁弁８Ｉ、前記腹腔１１ａ内の圧力の目標設定値としての圧力設定値を入力するための圧力設定操作部２３Ｉ、及び前記腹腔１１ａ内の圧力を測定する圧力測定部としての圧力センサ１２Ｉと、前記第１及び第２の送気装置間で通信を行う通信部を構成する通信ケーブル３及び通信ポート２２Ｉと、前記第１及び第２の送気装置における一方を基準の送気装置に設定する設定部２４Ｉと、前記設定部２４Ｉにより設定された前記基準の送気装置により前記第１及び第２の送気装置における他方の送気装置による送気動作を制御すると共に、前記基準の送気装置は、前記他方の送気装置における圧力設定値を前記基準の送気装置における圧力設定値に合わせる制御を行う制御部２１Ｉと、を備えることを特徴とする。
【００１９】
次に図１Ａの送気システム１の動作を図２Ａ等を参照して説明する。図２Ａは、図１Ａの送気システム１における２つの送気装置２Ａ，２Ｂの動作のシーケンスを示す。  
まず、図１Ａに示すように通信ケーブル３で２つの送気装置２Ａ，２Ｂを接続する。その後、（１）の送気装置の起動通知の動作を行う。  
送気装置２Ａ，２Ｂの電源を入れた際、例えば電源の投入が先行した送気装置２Ｂの起動部は、起動通知（通信メッセージＳＰ１）を送信して自分の存在を他の送気装置２Ａに知らせる。送気装置２Ａの制御部２１Ａは通信メッセージＳＰ１を受け取り、本送気装置２Ａに吸引器が接続されているか確認する。その後、（２）の吸引器の接続確認の動作に移る。  
（２）の吸引器の接続確認の動作において、送気装置２Ａの制御部２１Ａは圧力測定手段としての圧力センサ１２Ａを使って圧力を測定し、次にピンチ弁１７Ａを一定時間開放させるように動作（つまり吸気又は吸引するように動作）させ、再度、圧力測定手段を使って圧力を測定する。
【００２０】
次に電気制御基板２０Ａの比較判定部２５Ａがそれら２つの測定した圧力を比較し、圧力が下がっている場合は吸引器１５Ａが接続されていると判定する。  
図１Ａの構成例においては送気装置２Ａには吸引器１５Ａが接続されており、圧力が下がるため、比較判定部２６Ａは吸引器１５Ａが接続されていると判定し、制御部２１Ａはその判定結果を起動応答（通信メッセージＳＰ２）として送気装置２Ｂに送信する。その後、（３）の基準（又はマスタ）の送気装置の判定の動作に移る。  
（３）の基準の送気装置の判定の動作において、送気装置２Ｂの制御部２１ＢはメッセージＳＰ２で送気装置２Ａに吸引器１５Ａが接続されていることを受け、相手をマスタ（又は基準）とするためのマスタ化要求又は基準化要求（以下、マスタ化要求で代表）（通信メッセージＳＰ２-２）を送気装置２Ａへ送信する。
【００２１】
送気装置２Ａの制御部２１Ａは、マスタ化要求を受信すると、マスタ化要求により基準の装置装置となり、基準の装置装置となった送気装置２Ａの制御部２１Ａは、送気装置２Ｂへ（マスタ化要求された送気装置の制御下で従属的に非基準の送気装置として動作するように要求する）スレーブ化要求（通信メッセージＳＰ３）を送信する。その後、（４）の圧力設定の同期の動作に移る。なお、吸引器１５Ａが接続された送気装置２Ａの方が、吸引器が接続されていない送気装置２Ｂよりも、動作機能または制御機能が広くなるため、吸引器１５Ａが接続された送気装置２Ａを基準の送気装置に設定する。  
（４）の圧力設定の同期の動作において、スレーブ化要求内には送気装置２Ａの圧力設定値が含まれている。スレーブ化要求を受けた送気装置２Ｂの制御部２１Ｂは、非基準の送気装置として動作する設定状態となる。そして、送気装置２Ｂの制御部２１Ｂは、受け取った送気装置２Ａの圧力設定値（図面中では設定圧）を、送気装置２Ｂの圧力設定値としてこの送気装置２Ｂ内の記憶部２７Ｂに記憶するように制御し、送気装置２Ｂと送気装置２Ａの圧力設定値を合わせる。その後、（５）のスレーブ化された送気装置の表示の消灯の動作に移る。
【００２２】
（５）のスレーブ化された送気装置の表示の消灯の動作において、スレーブ化要求を受けた送気装置２Ｂ（つまり、非基準の送気装置）は、制御部２１Ｂにより表示器２５Ｂを消灯することができる。この消灯は、以後ユーザが２台の送気装置２Ａ，２Ｂの表示器２５Ａ，２５Ｂを見る必要があるという煩雑さを無くし、基準の送気装置２Ａの表示器２５Ａの表示だけを確認すればよい。つまり、非基準の送気装置の表示を消灯することにより、ユーザに対する利便性を向上する。また、省電力化の効果も有する。その後、（６）の送気の開始指示の動作に移る。  
（６）の送気の開始指示の動作において、ユーザは、基準の送気装置２Ａのタッチパネル１４Ａの送気開始スイッチ等を使用し、送気開始指示を行った場合、送気装置２Ａの制御部２１Ａは送気装置２Ｂに送気開始要求（通信メッセージＳＰ４）を送信し、送気装置２Ａ自身も送気を開始する。送気装置２Ｂの制御部２１Ｂは送気開始要求を受信すると、送気を開始する。
【００２３】
送気装置２Ｂの制御部２１Ｂは自身の圧力測定手段としての圧力センサ１２Ｂを使用して定期的に圧力を測定し、定期的に送気装置２Ａへ測定した圧力を測定圧通知（通信メッセージＳＰ５）で送信する。その後、（７）の流量表示の合算の動作に移る。（７）の流量表示の合算の動作において、送気装置２Ｂの制御部２１Ｂは、送気中に流量測定手段としての流量センサ１３Ｂを使用して送気流量を測定し、定期的に基準の送気装置２Ａへ測定した流量を送気流量通知（通信メッセージＳＰ６）で送信してもよい。送気流量通知を受け取った送気装置２Ａ（つまり、基準の送気装置）の制御部２１Ａは、自身の送気流量と受け取った送気装置２Ｂの送気流量を合算して、自身の表示器２５Ａに表示してもよい。そのようにすることで術者等のユーザは、患者１１に供給したＣＯ２の合計の送気流量を簡単に把握することができる。その後、（８）の送気の停止の動作に移る。
【００２４】
（８）の送気の停止の動作において、送気装置２Ａは送気装置２Ｂから受け取った測定圧通知を比較判定部２６Ａが確認し、もし送気装置２Ｂの圧力測定値が、目標とする圧力設定値よりも、少し低い所定圧力値（図面中では所定値と略記）を超えた場合、送気装置２Ａの制御部２１Ａは送気装置２Ｂに対して、送気停止要求（通信メッセージＳＰ７）を送信する。上記所定圧力値としては、所定圧力値の例えば８０−９０％程度の、圧力設定値に近い値を設定することができる。  
送気停止要求を受け取った送気装置２Ｂの制御部２１Ｂは、送気を停止する。このようにすることにより目標とする圧力設定値近くで、圧力設定値よりも低い所定圧力値に達した後は、１台の送気装置２Ａのみで送気することになり、過圧状態にしてしまうリスクを少なく、円滑に目標とする圧力設定値にすることができる。この最中において、（９）のエラー表示の動作を行う。
【００２５】
（９）のエラー表示の動作においては、送気装置２Ｂ内でエラーが発生した場合、送気装置２Ｂの制御部２１Ｂは、送気装置２Ａへエラー通知（通信メッセージＳＰ８）を送信してもよい。エラー通知を受信した送気装置２Ａの制御部２１Ａは、表示器２５Ａに送気装置２Ｂで発生したエラーが発生したことを表示してもよい。図２Ｃはエラー発生の表示例を示す。  
送気装置２Ａの表示器２５Ａには、「他方の送気装置（非基準の送気装置）のガスボンベ圧力不足のエラーとなりました」と言うような表示を行う。この表示からユーザは、基準の送気装置となる送気装置２Ａの表示器２５Ａの表示から非基準の装置装置となる他方の送気装置のエラー発生の内容を確認することができる。そして、エラー発生に速やかに対処し易くなる。
【００２６】
次に図１Ｂの送気システム１の場合の動作を図２Ｂを参照して説明する。図１Ａの場合と同様にまず、通信ケーブル３で両送気装置２Ａ，２Ｂを接続する。そして、（１）の送気装置の起動通知の動作を行う。  
（１）の送気装置の起動通知の動作において、送気装置２Ｂの電源を入れた際、送気装置２Ｂの起動部は起動通知（通信メッセージＳＰ１）を送信して自分の存在を他方の送気装置２Ａに知らせる。送気装置２Ａの制御部２１Ａは、通信メッセージＳＰ１を受け取り、自の送気装置２Ａに吸引器が接続されているか確認する。その後、（２）の吸引器の接続確認の動作に移る。
【００２７】
（２）の吸引器の接続確認の動作において、送気装置２Ａの制御部２１Ａが圧力測定手段としての圧力センサ１２Ａを使って圧力を測定し、次にピンチ弁１７Ａを一定時間、開放して吸引するように動作させ、再度圧力測定手段を使って圧力を測定する。次に比較判定部２６Ａは、それら２つの測定した圧力を比較し、圧力が下がっている場合は吸引器１５Ａが接続されていると判断する。  
図１Ｂの構成例においては送気装置２Ａには吸引器１５Ａが接続されておらず、圧力は下がらないため、比較判定部２６Ａは吸引器１５Ａが接続されていないと判定し、制御部２１Ａはその判断結果を起動応答（通信メッセージＳＰ２）として送気装置２Ｂに送信する。その後、（３）の基準（又はマスタ）の送気装置の判定の動作に移る。
【００２８】
（３）の基準（又はマスタ）の送気装置の判定の動作において、送気装置２Ｂの制御部２１Ｂは、メッセージＳＰ２で送気装置２Ａに吸引器１５Ａが接続されていないことを受け、自らも吸引器の接続確認を実施する。  
送気装置２Ｂにも吸引器１５Ｂが接続されていない場合、制御部２１Ｂは、表示器２５Ｂに「どちらの送気装置を基準（又はマスタ）の送気装置とするか」というように、基準の送気装置を選択させるメッセージ（選択画面）を表示させ、ユーザの選択操作を待つ。図２Ｄはこのようなメッセージ（選択画面）の表示例を示す。  
例えばユーザが送気装置２Ｂを基準の送気装置として選択する場合、設定部２４Ｂを使って送気装置２Ｂを選択する。そして、この選択により、送気装置２Ｂが基準の送気装置として設定される。この選択（設定）に従って、制御部２１Ｂは、送気装置２Ａへスレーブ化要求（通信メッセージＳＰ３）を送信する。その後、（４）の圧力設定の同期の動作に移る。
【００２９】
（４）の圧力設定の同期の動作において、スレーブ化要求内には送気装置２Ｂの圧力設定値（設定圧）が含まれており、スレーブ化要求を受けた送気装置２Ａの制御部２１Ａは、非基準の送気装置として動作する状態となる。また、この制御部２１Ａは、受け取った送気装置２Ｂの圧力設定値を、送気装置２Ａの圧力設定値としてこの送気装置２Ａ内の記憶部２７Ａに記憶し、送気装置２Ｂと送気装置２Ａの圧力設定値を合わせる。その後、（５）のスレーブ化の送気装置の表示の消灯の動作に移る。  
（５）のスレーブ化の送気装置の表示の消灯の動作において、スレーブ化要求を受けた非基準の送気装置として動作する送気装置２Ａは、制御部２１Ａにより表示器２５Ａを消灯することもできる。これは、以後ユーザは２つ（２台）の送気装置２Ａ，２Ｂの設定操作等の表示を見る必要があるという煩雑さを無くし、基準（マスタ）の送気装置２Ｂの表示器２５Ｂだけを確認すればよいとする利便性を確保するためである。その後、（６）の送気の開始指示の動作に移る。
【００３０】
（６）の送気の開始指示の動作において、ユーザは、基準の送気装置としての送気装置２Ｂのタッチパネル１４Ｂの送気開始スイッチ等を使用し、送気開始指示を行った場合、送気装置２Ｂの制御部２１Ｂは、送気装置２Ａに送気開始要求（通信メッセージＳＰ４）を送信し、送気装置２Ｂ自身も送気を開始する。（非基準の送気装置としての）送気装置２Ａの制御部２１Ａは、送気開始要求を受信すると、送気を開始する。送気装置２Ａの制御部２１Ａは、自身の圧力測定手段としての圧力センサ１２Ａを使用して定期的に圧力を測定し、定期的に送気装置２Ｂへ測定した圧力を測定圧通知（通信メッセージＳＰ５）を送信する。その後、（７）の流量表示の合算の動作に移る。  
（７）の流量表示の合算の動作において、送気装置２Ａの制御部２１Ａは送気中に流量測定手段としての流量センサ１３Ａを使用して送気流量を測定し、定期的に送気装置２Ｂへ測定した流量を送気流量通知（通信メッセージＳＰ６）の送信をしてもよい。
【００３１】
送気流量通知を受け取った送気装置２Ｂの制御部２１Ｂは自身の送気流量と受け取った送気装置２Ａの送気流量を合算して、自身の表示器２５Ｂに表示してもよい。そのようにすることで患者１１の腹腔１１ａに対する合計の送気流量を簡単に把握することができる。その後、（８）の送気の停止の動作に移る。  
（８）の送気の停止の動作において、送気装置２Ｂは送気装置２Ａから定期的に受け取った測定圧通知を比較判定部２６Ｂが確認し、もしも送気装置２Ａの圧力測定値が目標とする圧力設定値に近く、より低い所定圧力値（例えば圧力設定値の８０−９０％の値）を超えた場合、送気装置２Ｂの制御部２１Ｂは送気装置２Ａに対して、送気停止要求（通信メッセージＳＰ７）を送信する。
【００３２】
送気停止要求を受け取った送気装置２Ａの制御部２１Ａは、送気を停止する。このようにすることにより圧力設定値の近傍では１台の送気装置２Ｂの送気流量で腹腔１１ａ内に送気することになり、過圧状態になるリスクを少なくすることができる。この動作中において、（９）のエラー表示の動作を行う。  
（９）のエラー表示の動作においては、送気装置２Ａ内でエラーが発生した場合、送気装置２Ａの制御部２１Ａは、送気装置２Ｂへエラー通知（通信メッセージＳＰ８）を送信してもよい。エラー通知を受信した送気装置２Ｂの制御部２１Ｂは表示器２５Ｂにおいて、送気装置２Ａで発生したエラーが発生したことを表示してもよい。  
このようなシーケンスで動作する図１Ａ又は図１Ｂの送気システム１は、図３Ａのフローチャート等に示す処理を行う。両送気装置２Ａ，２Ｂにおける一方の送気装置が起動すると、ステップＳ１に示すようにその送気装置は、他方の送気装置に起動通知の送信を行う。一方、ステップＳ２に示すように他方の送気装置は一方の送気装置からのメッセージ受信待ちとなる。
【００３３】
そして、ステップＳ３に示すように他方の送気装置は一方の送気装置からの起動通知のメッセージを受信したか否かの判定を行う。起動通知を受信したとの判定結果の場合には、ステップＳ４に示すように他方の送気装置は、上述した吸引器が接続されているか否かの吸引器接続確認の処理を行う。  
また、ステップＳ５に示すように他方の送気装置は、吸引器接続確認結果を起動応答として一方の送気装置に送信する。そして、次のステップＳ６において一方の送気装置は、他方の送気装置からの起動応答を受信する受信待ちとなる。なお、ステップＳ３において、起動通知を受信しない判定結果の場合には、ステップＳ４，Ｓ５の処理を行うことなく、ステップＳ６の処理に進む。  
ステップＳ６において一方の送気装置は、起動応答を受信した場合には、ステップＳ７において他方の送気装置に吸引器１５Ｉが接続されているか否かの判定を行う。
【００３４】
このステップＳ７において他方の送気装置に吸引器１５Ｉが接続されていない判定結果の場合には、ステップＳ８において一方の送気装置は、ステップＳ４の場合と同様に吸引器接続確認の処理を行う。  
そして、次のステップＳ９において一方の送気装置は、本送気装置に吸引器が接続されているか否かの判定を行う。ステップＳ９の判定処理において吸引器が接続されていない場合、つまりいずれの送気装置にも吸引器が接続されていない場合には、どちらの送気装置を基準（又はマスタ）にするかを表示器で表示する。ユーザは、この表示において、設定部により一方の送気装置、又は他方の送気装置を基準の送気装置に選択する操作を行う。つまり、ステップＳ１１に示すように基準の送気装置を一方の送気装置にするか否かの判定が行われる。
【００３５】
基準の送気装置を一方の送気装置に設定（選択）した場合には、ステップＳ１２において基準の送気装置に設定された一方の送気装置は、他方の送気装置を基準の制御装置の制御下で動作する非基準の送気装置になるように要求するスレーブ化要求のメッセージを送信し、ステップＳ１６の処理に移る。  
一方、ステップＳ７において他方の送気装置に吸引器が接続されている場合には、ステップＳ１３において一方の送気装置は、他方の送気装置にマスタ化要求のメッセージを送信した後、ステップＳ１６の処理に移る。  
また、ステップＳ９において一方（自身）の送気装置に吸引器が接続されている場合には、ステップＳ１４において一方の送気装置は、他方の送気装置にスレーブ化要求のメッセージを送信した後、ステップＳ１６の処理に移る。
【００３６】
また、ステップＳ１１において他方の送気装置を基準の送気装置に選択した場合には、ステップＳ１５において一方の送気装置は、他方の送気装置にマスタ化要求のメッセージを送信した後、ステップＳ１６の処理に移る。  
次のステップＳ１６において一方又は他方の送気装置は、マスタ化要求を受信したか否かの判定を行う。マスタ化要求を受信した場合には、次のステップＳ１７において受信した送気装置は、（受信した送気装置以外となる）他の送気装置にスレーブ化要求のメッセージを送信する。そして、次のステップＳ１８において他の送気装置は、スレーブ化要求を受信したか否かの判定を行う。なお、ステップＳ１６においてマスタ化要求を受信しない場合には、ステップＳ１８の処理に移る。
【００３７】
ステップＳ１８の判定処理においてスレーブ化要求を受信した場合には、次のステップＳ９においてスレーブ化要求を受信した送気装置は、該送気装置の表示器の表示を消灯する処理を行った後、ステップＳ２０の処理に移る。  
一方、ステップＳ１８の判定処理においてスレーブ化要求を受信しない場合、スレーブ化要求を受信してない送気装置は、ステップＳ２０の処理に移る。  
上述したステップＳ１−Ｓ１９の処理結果からステップＳ２０において一方の送気装置を基準の送気装置にするか否かの判定処理を行う。そして、ステップＳ２０の判定処理において、（スレーブ化要求を送信したか否か、又はマスタ化要求を受信したか否かの判定により）一方の装置装置を基準の送気装置に設定した場合には、ステップＳ２１において一方の装置装置は、基準の送気装置の処理を行い、ステップＳ２の処理に戻るこの場合、他方の送気装置が非基準の送気装置に設定される。これに対して、一方の装置装置を基準の送気装置に設定しない場合には、ステップＳ２２において一方の装置装置は、基準でない非基準の送気装置の処理を行い、ステップＳ２の処理に戻る。この場合、他方の送気装置が基準の送気装置に設定される。
【００３８】
図３Ｂは基準の送気装置の処理内容の代表例を示す。最初のステップＳ３１において、基準の送気装置は、ユーザが送気開始を選択したかの判定を行う。ユーザが送気開始を選択した場合には、次のステップＳ３２において基準の送気装置は、送気動作を開始する。また、ステップＳ３３において基準の送気装置は、非基準の送気装置に送気開始要求の通信メッセージを送信し、ステップＳ３４の処理に移る。  
一方、ステップＳ３１においてユーザが送気開始を選択していない場合には、ステップＳ３４の処理に移る。ステップＳ３４において基準の送気装置は、送気流量通知を受信したか否かの判定を行う。そして、送気流量通知を受信した判定の場合には次のステップＳ３５において基準の送気装置は、自身の送気流量と受信した送気流量とを合算して表示器で表示する。その後、ステップＳ３６の処理に移る。
【００３９】
ステップＳ３４において送気流量通知を受信していない判定の場合にはステップＳ３６の処理に移る。  
ステップＳ３６において基準の送気装置は、非基準の送気装置から測定圧通知（圧力測定値の通知）を受信したか否かの判定を行う。測定圧通知を受信した判定の場合には、次のステップＳ３７において基準の送気装置は、受信した圧力測定値が所定圧力値（図面中では所定値）以上か否かの判定を行う。受信した圧力測定値が所定圧力値以上の判定結果の場合、ステップＳ３８において基準の送気装置は、非基準の送気装置に送気停止要求の通信メッセージを送信した後、ステップＳ３９の処理に移る。  
一方、ステップＳ３６において測定圧通知を受信しない場合、及びステップＳ３７において受信した圧力測定値が所定圧力値未満以上の場合には、ステップＳ３９の処理に移る。
【００４０】
ステップＳ３９において基準の送気装置は、非基準の送気装置からエラー通知を受信したか否かの判定を行う。エラー通知を受信した判定結果の場合には次のステップＳ４０において基準の送気装置は、基準の送気装置の表示器で非基準の送気装置にエラーが発生していることを表示して、図３Ａの処理を終了する。また、ステップＳ３９においてエラー通知を受信していない場合も図３Ａの処理を終了する。  
次に非基準の送気装置の処理内容を図３Ｃを参照して説明する。  
最初のステップＳ５１において非基準の送気装置は、基準の送気装置からの送気開始要求を受信したか否かの判定を行う。送気開始要求を受信した判定結果の場合には、次のステップＳ５２において非基準の送気装置は、基準の送気装置から送気開始要求と共に受信した圧力設定値（設定圧）を本送気装置の圧力設定値に設定する。
【００４１】
また、ステップＳ５３において非基準の送気装置は、送気動作を開始する。また、次のステップＳ５４において非基準の送気装置は、所定時間を計測するタイマ（定期タイマと言う）を設定して、ステップＳ５５の処理に移る。一方、ステップＳ５１において送気開始要求を受信していない場合には、ステップＳ５５の処理に移る。  
ステップＳ５５において非基準の送気装置は、定期タイマが設定された所定時間経過したタイムアップしたか否かを判定する。タイムアップした判定結果の場合には次のステップＳ５６において非基準の送気装置は、測定圧通知の通信メッセージを基準の送気装置に送信する。  
また、ステップＳ５７において非基準の送気装置は、送気流量通知の通信メッセージを基準の送気装置に送信する。
【００４２】
その後、ステップＳ５８において非基準の送気装置は、所定時間の計測を行うように再度定期タイマを設定してステップＳ５６，５７を定期的に行うようにした後、ステップＳ５９の処理に移る。また、ステップＳ５５においてタイムアップしていない場合には、ステップＳ５９の処理に移る。  
ステップＳ５９において非基準の送気装置は、基準の送気装置から送気停止要求を受信しているか否かの判定を行う。送気停止要求を受信した判定結果の場合には、次のステップＳ６０において非基準の送気装置は、送気動作を停止して、ステップＳ６１の処理に移る。なお、この場合には基準の送気装置のみで送気を続行し、目標の設定圧力値に達した時、基準の送気装置は送気を停止する。ステップＳ５９において送気停止要求を受信していない場合には、ステップＳ６１の処理に移る。  
ステップＳ６１において非基準の送気装置は、エラーが発生しているか否かの判定を行う。エラーが発生している判定結果の場合には、ステップＳ６２において非基準の送気装置は、エラー通知の通信メッセージを基準の送気装置に送信して、図３Ｂの処理を終了する。また、ステップＳ６１においてエラーが発生していない場合にも、図３Ｂの処理を終了する。
【００４３】
このようにして送気システム１によって、腹腔１１ａ内の圧力を目標の圧力設定値に設定した後に、図示しない内視鏡を用いて内視鏡の観察下で外科手術を行うことになる。  
このように動作する第１の実施形態によれば、２台（２つ）の送気装置２Ａ、２Ｂを用い、短時間に目標の圧力設定値にすることが可能となる他に、円滑に目標の圧力設定値にすることが可能となる。  
より具体的には、本実施形態においては、体腔内の圧力の目標設定値としての圧力設定値より低い所定圧力値に達するまでは、２台の送気装置２Ａ、２Ｂを並行して送気動作を行うように制御するので、１つの送気装置で送気を行う場合よりも短時間に、圧力設定値に近い所定圧力値に設定できる。また、本実施形態においては、所定圧力値を超えた場合には２つの送気装置２Ａ，２Ｂにおける１つの送気動作を停止して、残りの１つの送気装置２Ａ又は２Ｂで送気動作を行うようにしているので、２台で送気動作を並行して行ったような場合に起こり得る圧力設定値を超えた過圧状態に設定してしまうような事態を低減して、円滑に圧力設定値に設定することが可能となる。  
また、本実施形態によれば、自動的に２つの送気装置２Ａ，２Ｂの圧力設定値を同じ値にして、短時間に目標の圧力設定値にすることができる。また、ユーザは、２つの送気装置２Ａ，２Ｂの表示器２５Ａ，２５Ｂを見ないで、基準となる送気装置の表示器２５Ａを表示内容で、圧力設定値、測定圧力値、測定された送気流量等を確認できる。
【００４４】
なお、所定圧力値を超えた場合にも２つの送気装置２Ａ，２Ｂでそれぞれ動作させることも可能であり、その場合には短時間に目標の圧力設定値にすることが可能となる効果を持つ。これに対して、上記のように所定圧力値を超えた場合には２つの送気装置２Ａ，２Ｂにおける１つの送気動作を停止して、残りの１つの送気装置２Ａ又は２Ｂで送気動作を行うように制御すると、より円滑に圧力設定値に設定することが可能となる。  
なお、上述の説明において、２つの送気装置２Ａ，２Ｂとも吸引器が接続される場合もある。この場合には、吸引器接続確認の処理を行った場合における最初に吸引器が接続された送気装置を基準の送気装置に設定すれば良い。また、両方の送気装置において、吸引器接続確認の処理を行い、図２Ｃのような選択画面を表示し、ユーザが両方の送気装置から基準の送気装置を選択することができるようにしても良い。また、上述の説明においては、所定圧力値を超えた場合には、非基準の送気装置の送気動作を停止し、基準の送気装置のみで送気を行う例で説明したが、基準の送気装置の送気動作を停止し、非基準の送気装置のみで送気を行うようにしても良い。
【００４５】
（第２の実施形態）
次に本発明の第２の実施形態を説明する。図４に示す本実施形態の送気システム１′は、図１Ａ又は図１Ｂの送気システム１と殆ど同じ構成である。但し、本実施形態の送気システム１′は、例えば図１Ａの送気システム１における送気装置２Ｉのタッチパネル１４Ｉ（Ｉ＝Ａ，Ｂ）において、さらに動作モードを選択する動作モード選択部３１Ｉを有する。  
ユーザは、動作モード選択部３１Ｉにより、第１の実施形態のように所定圧力値に達するまでは、両送気装置２Ａ，２Ｂが送気動作を行う第１の動作モードと、両送気装置２Ａ，２Ｂにおける一方を送気専用の送気装置、他方を圧力測定専用の送気装置に設定する第２の動作モードとを選択することができるようにしている。
【００４６】
また、本実施形態の送気システムにおける制御部２１Ｉ等は、第１の動作モードの制御の他に、第２の動作モードの制御を行う。動作モード選択部３１Ｉは、２つの動作モードから一方を選択する選択スイッチなどで構成され、動作モードの選択信号は制御部２１Ｉに入力され、制御部２１Ｉは、対応した制御を行う。このため、制御部２１Ｉは、選択された動作モードに対応した制御を行う動作モード制御部２１ｆを有する。その他の構成は第１の実施形態と同様である。  
次に本実施形態の動作を説明する。ユーザが動作モード選択部３１Ｉにより、第１の動作モードを選択した場合には、第１の実施形態と同様の動作となる。このため、その動作の説明を省略する。次にユーザが第２の動作モードを選択する場合を説明する。図５は、この場合の送気装置２Ａ及び２Ｂの動作のシーケンスを示す。
【００４７】
図５に示す動作のシーケンスは、図２Ａのシーケンスにおいて、一部異なるため、異なる部分のみ説明する。最初の起動通知の動作から送気装置２Ｂの表示の消灯の動作までは図２Ａと同じ動作となる。  
この表示の消灯の動作後にユーザが送気開始を行う前に、ユーザは動作モード選択部３１Ｉにより動作モードの選択を行う。ユーザは、例えば、基準となる送気装置２Ａの動作モード選択部３１Ａにより第２の動作モードの選択する。また、この第２の動作モードを選択した場合、基準の送気装置が、気体の供給動作、つまり送気動作を行わずに腹腔の圧力測定のみを行い、他方の非基準の送気装置に対して測定した圧力測定値を通信ケーブル３により通信し、他方の送気装置は、腹腔の圧力設定は行わずに気体の供給動作、つまり送気動作のみを行う選択となる。
【００４８】
従って、第２の動作モードの選択により、送気装置２Ａは圧力測定専用の送気装置、送気装置２Ｂは送気専用の送気装置が選択される。そして、ユーザが送気開始を選択する指示操作をタッチパネル１４Ａから行うと、送気装置２Ａは、送気専用で動作させる送気専用要求を伴う送気開始要求（通信メッセージＳＰ４′）を送気装置２Ｂに送信する。  
送気装置２Ｂは、送気専用で送気動作を開始する。なお、送気専用で動作する送気装置２Ｂは、送気動作と共に並行して送気流量の測定を行うことができるので、送気流量の測定も行う。  
また、送気装置２Ａは１本の送気チューブ１０Ａを使用して、常時圧力測定を行い、短い所定の時間間隔で、送気装置２Ｂに測定圧を通知する（通信メッセージＳＰ５として送信する）。
【００４９】
一方、送気装置２Ｂは、１本の送気チューブ１０Ａを使用して、送気動作を連続的に行い、短い所定の時間間隔で送気装置２Ａに測定した送気流量を通知する（通信メッセージＳＰ６として送信する）。  
また、図２Ａにおいて説明したように、送気装置２Ａは自身の送気流量と送気装置２Ｂの送気流量を合算して表示器２５Ａで表示を行う。但し、送気装置２Ａは自身の送気流量は、０となるので、実質的には送気装置２Ｂの送気流量を表示器２５Ａで表示を行う動作となる。なお、本実施形態においては、図２Ａの場合における測定圧が目標の圧力設定値近くの所定圧力値（所定値）よりも高いか否かの判定動作を行わない。
【００５０】
但し、比較判定部２６Ａは、測定圧が目標の圧力設定値に達したか否かの判定動作を行う。  
また、送気装置２Ｂにおいてエラーが発生した場合には、送気装置２Ｂはエラー通知を通信メッセージＳＰ８として送気装置２Ａに送信する。送気装置２Ａは、表示器２５Ａにおいて、エラー発生を表示し、ユーザに告知する。ユーザは、エラー発生に対応した処理を行い、エラー発生を解消する。  
このようにして、比較判定部２６Ａにより測定圧が目標の圧力設定値（図面中では設定圧）に達した場合には、制御部２１Ａは、送気装置２Ｂの制御部２１Ｂに送気停止要求を送信する（通信メッセージＳＰ７として送信する）。すると、送気装置２Ｂは送気動作を停止し、図５の送気動作を終了する。
【００５１】
このように動作する本実施形態によれば、第１の実施形態と同様の効果を有すると共に、さらにユーザの選択により、送気の動作のモードを複数の動作モードから選択して送気動作を行うことができる。  
第２の動作モードを選択した場合には、連続的な送気動作と殆ど連続的に近い周期で圧力測定ができる。このため、腹腔１１ａ内の圧力を連続的に近い周期で測定でき、従って精度良く、目標の圧力設定値に設定することが可能になる効果を有する。このように本実施形態によれば、第１の実施形態と同様の効果を有する他に、より精度良く目標の圧力設定値に設定することが可能になる動作モードを有する。
【００５２】
次に本実施形態の変形例を説明する。本変形例は、上記動作モード選択部３１Ｉによりさらに、第３の動作モードを選択可能にしている。  
第２の実施形態においては、基準となる送気装置を圧力測定専用の送気装置、非基準の送気装置を送気専用の送気装置として選択していたが、本変形例ではさらに第３の動作モードとして、非基準の送気装置を送気専用の送気装置として選択すると共に、測定圧が所定圧力値（所定値）に達するまでは基準となる送気装置を、圧力測定と送気とを兼用して行い、測定圧が所定圧力値に達した後は、送気動作を停止し、圧力測定専用として動作する動作モードとなる。  
本変形例の構成は、図４と同じである。但し、上記のように動作モード選択部３１Ｉは、第１−第３の動作モードから１つの動作モードを選択する機能を有する。また、制御部２１Ｉは、選択された動作モードに対応した制御を行う。
【００５３】
次に本変形例の動作を説明する。図６は本変形例の動作のシーケンスを示す。本変形例は、図５に示す第２の実施形態の動作と一部が異なるので、異なる部分のみを説明する。最初の起動通知の動作から動作モードの選択までは、第２の実施形態と同様の動作となる。  
ユーザが、動作モード選択部３１Ｉにより、第１の動作モードを選択した場合には、第１の実施形態で説明した動作となり、第２の動作モードを選択した場合には、第２の実施形態において主に図５で説明した動作となる。このため、ユーザが、動作モード選択部３１Ｉにより、第３の動作モードを選択した場合を説明する。
【００５４】
第３の動作モードが選択されると、送気装置２Ａは、圧力測定と送気とを間欠的に行う送気装置の設定（図面中において送気／圧力測定の動作）、他方の送気装置２Ｂは、送気専用の送気装置の設定が選択されることになる。つまり、送気装置２Ｂは、第２の実施形態と同様の動作モードで動作し、送気装置２Ａは、圧力測定専用でなく、送気も行う（送気と圧力測定を間欠的に行う）動作モードとなる。  
そして、ユーザが送気開始を選択する操作をタッチパネル１４から行うと、図５で説明した場合と同様に、送気装置２Ａは、送気専用で動作させる送気専用要求を伴う送気開始要求（通信メッセージＳＰ４′）を送気装置２Ｂに送信する。  
送気装置２Ｂは、送気専用で送気動作を開始する。なお、上述したように送気専用で動作する送気装置２Ｂは、送気動作と共に並行して送気流量の測定を行うことができるので、送気流量の測定も行う。
【００５５】
送気装置２Ａは間欠的に送気と圧力測定を交互に行い、間欠的動作に対応した所定の時間間隔で測定圧を送気装置２Ｂに通知する（通信メッセージＳＰ５として送信する）。  
一方、送気装置２Ｂは、１本の送気チューブ１０Ａを使用して、送気動作を連続的に行い、短い所定の時間間隔で送気装置２Ａに測定した送気流量を通知する（通信メッセージＳＰ６として送信する）。  
また、送気装置２Ａは自身の送気流量と送気装置２Ｂの送気流量を合算して表示器２５Ａで表示を行う。  
また、送気装置２Ａにおける比較判定部２６Ａは、測定圧が所定圧力値（所定値）以上、又は所定圧力値よりも高いか否かの判定を行う。そして、測定圧が（圧力設定値より低い）所定圧力値以上と判定した場合には、送気装置２Ａの制御部２１Ａは、本送気装置２Ａの送気動作を停止し、圧力測定専用で動作させるように制御する。
【００５６】
つまり、腹腔１１ａ内の圧力測定値が、所定圧力値以上の場合（換言すると所定圧力値を超えた場合）には、１つの送気装置２Ｂのみで送気（腹腔１１ａ内への所定の気体の供給）動作を行う状態となる。  
送気装置２Ａは圧力測定専用で動作するため、常時圧力測定を行い、送気装置２Ｂに短い所定の時間間隔で測定圧の通知をする（通信メッセージＳＰ５として送信する）。  
送気装置２Ａにおける比較判定部２６Ａにより測定圧が目標の圧力設定値（図面中では設定圧）に達した場合には、制御部２１Ａは、送気装置２Ｂの制御部２１Ｂに送気停止要求を送信する（通信メッセージＳＰ７として送信する）。すると、送気装置２Ｂは送気動作を停止し、図６の送気動作を終了する。
【００５７】
本変形例の送気システムによれば、測定圧が所定圧力値に達するまでの期間においては、２つの送気装置２Ａ、２Ｂで並行して送気を行い、測定圧が所定圧力値を超えた場合（又は所定圧力値以上の場合）には１つの送気装置のみで、送気を行う。  
この場合、測定圧が所定圧力値に達するまでは、一方の送気装置２Ｂは送気専用で連続的に送気を行い、他方の送気装置２Ａは間欠的に送気を行う。このため、２つが間欠的に送気を行う第１の実施形態の場合よりも、短時間に腹腔１１ａ内の圧力を所定圧力値に設定できる。  
また、所定圧力値に達した後は、一方の送気装置２Ｂは継続して送気専用で連続的に送気を行い、他方の送気装置２Ａは送気を停止して圧力測定専用で殆ど連続的に圧力測定を行う状態で動作する。つまり、腹腔１１ａ内の圧力を殆ど連続的に変化させることができると共に、（短い周期等の）短い時間間隔で圧力測定を行うので、精度良く目標とする圧力設定値に設定することが可能になる。
【００５８】
本変形例の処理動作は、図７のフローチャートのようになる。送気が開始すると、最初のステップＳ７１において比較判定部２６Ａは、圧力測定値（図面中では測定圧）が所定圧力値（図面中では所定値）以上になったか否かを判定する。  
圧力測定値が所定圧力値未満の状態では、ステップＳ７２に示すように送気装置２Ａは間欠的な送気動作、送気装置２Ｂは連続的な送気動作（つまり送気専用動作）を行う。  
このような送気動作により、圧力測定値が所定圧力値以上の状態に達すると、ステップＳ７３に示すように送気装置２Ａは間欠的な送気動作から圧力測定専用の動作（つまり殆ど連続的に圧力測定を行う動作）、送気装置２Ｂは継続して連続的な送気動作（つまり送気専用動作）を行う状態となる。
【００５９】
そして、ステップＳ７４に示すように送気装置２Ａは、所定圧力値未満の状態における間欠的な送気動作の場合の圧力測定間隔から、連続的に近い短い時間間隔（例えば短い周期１−５ｓｅｃ）で圧力測定を行うこともできるようになる。また、ステップＳ７５に示すように比較判定部２６Ａは、圧力測定値が圧力設定値（図面中では設定圧）に達した否かを判定する。圧力測定値が圧力設定値に達していない場合には、ステップＳ７３の処理に戻り、連続的な送気動作及び連続的に近い短い時間間隔で圧力測定の動作を行う。  
このようにして、圧力測定値が圧力設定値に達した場合には、ステップＳ７６において送気装置２Ａは、送気装置２Ｂに送気停止要求を送信して、送気装置２Ｂは送気動作を停止する。そして、図７の処理を終了する。
【００６０】
本変形例によれば、上記のように圧力設定値に近い所定圧力値に達するまでは、２つの送気装置で並行して送気を行い、かつ１つの送気装置を送気を連続的に行うようにしているので、短時間に腹腔１１ａの圧力を所定圧力値に設定できる。  
また、所定圧力値に達した後は、１つの送気装置を継続して送気を連続的に行わせ、残りの１つの送気装置の送気を停止させて、圧力測定を専用に行う動作モードに設定して連続的に近い時間間隔で圧力測定を行うことができるようにしているので、時間分解能が高い状態で圧力測定値が圧力設定値に達したか否かの判定が可能となり、腹腔１１ａの圧力を圧力設定値に高精度に設定することが可能になる効果を有する。
【００６１】
なお、上述した変形例を含む実施形態を部分的に組み合わせて構成される実施形態も本発明に属する。例えば、第２の実施形態においては、送気装置２Ａが圧力測定専用で動作し、他方の送気装置２Ｂが送気動作を連続的に行う場合で説明したが、送気装置２Ｂが圧力測定専用で動作し、他方の送気装置２Ａが送気動作を連続的に行うようにしても良い。  
また、このように２つの送気装置が送気専用と圧力測定専用のように異なる動作モードで動作させる場合、２つの送気装置を割り付ける動作モードをユーザが選択して設定できるようにしても良い。  
また、第２の実施形態における変形例の場合においても、送気装置２Ａと送気装置２Ｂとの動作モードを変更したり、選択して設定できるようにし、制御部がユーザの選択に対応した制御を行うようにしても良い。また、上述した第１−３の動作モード等の選択と共に、２つの送気装置の動作モードをユーザが選択して設定できるようにし、制御部がユーザの選択に対応した制御を行うようにしても良い。
【００６２】
［付記］
請求項１の効果：２台の送気装置の圧力設定値を同じ値にして、短時間に目標の圧力設定値に設定することを可能にする。  
請求項２の効果：２台の送気装置の圧力設定値を同じ値にして、短時間にかつ円滑に目標の圧力設定値に設定することを可能にする。  
請求項３の効果：ユーザの選択で、自由に基準の送気装置に設定することができる。  
請求項４の効果：制御機能が広い方を基準の送気装置に設定することができる。  
請求項５の効果：２台の送気装置の内、ユーザは基準の送気装置の表示のみを確認すれば良い。  
請求項６の効果：２台の送気装置の送気流量を確認する場合、ユーザは基準の送気装置の表示のみを確認すれば良い。
【００６３】
請求項７の効果：１本のチューブを用いて気体の供給動作（送気動作）と、腹腔内の圧力測定動作とを行うことができる。  
請求項８の効果：精度の高い送気制御と圧力測定ができる。  
請求項９の効果：請求項１０の効果：２台の送気装置のエラー表示を確認する場合、ユーザは基準の送気装置の表示のみを確認すれば良い。  
請求項１１の効果：目標の圧力設定値に高精度で設定することができる。  
請求項１２の効果：種々の動作モードで送気を行うことができる。  
請求項１３の効果：短時間にかつ高精度に目標の圧力設定値に設定することができる。
【符号の説明】
【００６４】
１…送気システム、２Ａ、２Ｂ…送気装置、３…通信ケーブル、５Ａ，５Ｂ…ガスボンベ、６Ａ，６Ｂ…管路、７Ａ，７Ｂ…減圧器、８Ａ，８Ｂ…電磁弁、９Ａ，９Ｂ…送気口金、１１…患者、１１ａ…腹腔、１２Ａ，１２Ｂ…圧力センサ、１３Ａ，１３Ｂ…流量センサ、１４Ａ，１４Ｂ…タッチパネル、１５Ａ…吸引器、１６Ａ…吸引チューブ、１７Ａ，１７Ｂ…チンチ弁、２０Ａ，２０Ｂ…電気制御基板、２１Ａ，２１Ｂ…制御部、２２Ａ，２２Ｂ…通信ポート、２３Ａ，２３Ｂ…圧力設定操作部、２３ｃ…所定圧力値設定部、２３ｄ…設定値設定部、２４Ａ，２４Ｂ…設定部、２４ｃ…第１の設定部、２５Ａ，２５Ｂ…表示器、２６Ａ，２６Ｂ…比較判定部、２７Ａ，２７Ｂ…記憶部、３１Ａ，３１Ｂ…動作モード選択部、
【図１Ａ】
2014094238.tif 000003
【図１Ｂ】
2014094238.tif 000004
【図２Ａ】
2014094238.tif 000005
【図２Ｂ】
2014094238.tif 000006
【図２Ｃ】
2014094238.tif 000007
【図２Ｄ】
2014094238.tif 000008
【図３Ａ】
2014094238.tif 000009
【図３Ｂ】
2014094238.tif 000010
【図３Ｃ】
2014094238.tif 000011
【図４】
2014094238.tif 000012
【図５】
2014094238.tif 000013
【図６】
2014094238.tif 000014
【図７】
2014094238.tif 000015